(57)【要約】      （修正有）【課題】制御端子組の各端子の間において、接触がよりスムーズに、確実的に、及び耐久的になり、そして、電子カードが、より簡単に、挿着される、カード読取装置を提供する。【解決手段】電子カードが挿着されるためのカード読取装置には、第１の制御端子には、第１の保持部と第１の弾性アームがあり、第１の弾性アームには、押付け部と延長部があり、第２の制御端子には、第２の保持部があり、延長部の自由端は、第２の保持部に対応する一辺に位置し、そして、常に所定の距離を維持し、電子カードが挿着空間に挿着される時、電子カードが押付け部に当接し、延長部の自由端が、第２の保持部へ移動して、そして、接触しながら、第２の保持部上に摺動することにより、第１の制御端子の弾性は更に良くなる。【選択図】図１
0003109589.tif 000002
【実用新案登録請求の範囲】
【請求項１】
電子カードが挿着されるカード読取装置であって、
内部に挿着空間が形成され、先端に挿着口が形成され、当該挿着口が、当該挿着空間に連通され、当該電子カードが当該挿着口を介して当該挿着空間内に挿着される、絶縁主体と、
第１の制御端子と第２の制御端子があり、当該第１の制御端子に、第１の保持部と第１の弾性アームがあり、当該第１の保持部が、当該絶縁主体に位置付けられ、当該第１の弾性アームに、押付け部と延長部があり、当該押付け部の一端が、固定端で、当該第１の保持部に連接され、当該押付け部のもう一端が、自由端で、当該挿着空間内と当該絶縁主体の後端へ延ばし、当該延長部の一端が、当該押付け部の自由端に連接され、折り点を形成し、当該延長部のもう一端が、自由端で、当該第２の制御端子に、第２の保持部があり、当該第２の保持部が、当該絶縁主体に位置付けられ、当該延長部の自由端が、当該第２の保持部に対応する一辺に位置し、そして、常に所定の距離を維持する、制御端子組と、があり、
当該電子カードが当該挿着空間に挿着される時、当該電子カードは、当該押付け部に当接し、当該延長部の自由端は、当該第２の保持部へ移動して、当該第２の保持部上に摺動接触することを特徴とするカード読取装置。
【請求項２】
当該第１の制御端子の第１の弾性アームの押付け部の長さは、延長部のと同じであることを特徴とする請求項１に記載のカード読取装置。
【請求項３】
当該第１の制御端子の第１の保持部には、インサートシートがあることを特徴とする請求項１に記載のカード読取装置。
【請求項４】
当該第１の制御端子には、湾曲部があり、当該湾曲部は、当該延長部の自由端に連接され、当該第２の制御端子の第２の保持部の反対方向へ延ばすことを特徴とする請求項１に記載のカード読取装置。
【請求項５】
当該第１の制御端子には、第１のピン部があり、当該第１のピン部は、当該第１の保持部に連接され、当該挿着空間外へ延ばすことを特徴とする請求項１に記載のカード読取装置。
【請求項６】
当該第２の制御端子には、第２のピン部があり、当該第２のピン部は、当該第２の保持部に連接され、当該挿着空間外へ延ばすことを特徴とする請求項１に記載のカード読取装置。
【請求項７】
当該第２の制御端子には、第２の弾性アームがあり、当該第２の弾性アームの一端は、固定端で、当該第２の保持部に連接され、当該第２の弾性アームのもう一端は、自由端で、当該挿着空間内と当該絶縁主体の後端へ延ばし、当該制御端子組には、第３の制御端子があり、当該第３の制御端子には、第３の保持部と第３の弾性アームがあり、当該第３の保持部は、当該絶縁主体に位置付けられ、当該第３の弾性アームには、当接部と圧接部があり、当該当接部の一端は、固定端で、当該第３の保持部に連接され、当該当接部のもう一端は、自由端で、当該挿着空間内と当該絶縁主体の後端へ延ばし、当該圧接部の一端は、当該当接部の自由端に連接され、折り点を形成し、当該圧接部のもう一端は、自由端で、当該圧接部の自由端は、当該第２の弾性アームに対応する一辺に位置し、そして、常に所定の距離を維持し、当該電子カードが当該挿着空間に挿着される時、当該電子カードは、当該当接部に当接し、当該圧接部の自由端は、当該第２の弾性アームへ移動し、当該第２の弾性アーム上に当接することを特徴とする請求項１に記載のカード読取装置。
【請求項８】
当該第３の制御端子の第３の保持部には、インサートシートがあることを特徴とする請求項７に記載のカード読取装置。
【請求項９】
当該第３の制御端子には、湾曲部があり、当該湾曲部は、当該圧接部の自由端に連接され、当該第２の制御端子の第２の弾性アームの反対方向へ延ばすことを特徴とする請求項７に記載のカード読取装置。
【請求項１０】
当該第３の制御端子には、第３のピン部があり、当該第３のピン部は、当該第３の保持部に連接され、当該挿着空間外へ延ばすことを特徴とする請求項７に記載のカード読取装置。
【請求項１１】
当該第１の制御端子は、書込み禁止端子で、当該第２の制御端子は、共通端子で、当該第３の制御端子は、検知端子であることを特徴とする請求項７に記載のカード読取装置。
【請求項１２】
当該絶縁主体には、基板と、第１の側壁と、第２の側壁とがあり、当該第１の側壁と当該第２の側壁は、夫々、当該基板の二つの対向辺に連接され、その間に、当該絶縁主体の挿着空間が形成され、当該第１の側壁には、第１のスロットと、第２のスロットと、第３のスロットとが設けられ、当該第１のスロットと、当該第３のスロットと、当該第２のスロットとは、上記の順に当該絶縁主体の先端から裏へ配列され、当該第１の制御端子の第１の保持部と、当該第２の制御端子の第２の保持部と、当該第３の制御端子の第３の保持部とは、夫々、当該第１のスロットと、当該第２のスロットと、当該第３のスロットとの内に位置付けられることを特徴とする請求項７に記載のカード読取装置。
【請求項１３】
第１の端子組と、第２の端子組と、第３の端子組と、第１の押さえ板と、第２の押さえ板と、裏押さえ板とがあり、当該第１の端子組は、当該絶縁主体の基板の外面に実装され、当該第１の押さえ板は、当該基板の外面に固定され、当該第１の端子組に位置付けられ、当該第２の端子組は、当該絶縁主体の基板の内面に実装され、当該第２の押さえ板は、当該基板の内面に固定され、当該第２の端子組に位置付けられ、当該第３の端子組は、当該絶縁主体の後端に実装され、当該絶縁主体の第１の側壁の後端と第２の側壁の後端には、夫々、二つの係合槽が設けられ、当該裏押さえ板の両端には、夫々、二つのフランジが設けられ、各フランジは、夫々、各係止槽に係止され、当該裏押さえ板は、当該第１の端子組と、当該第２の端子組と、当該第３の端子組の端子のピン部に当接することを特徴とする請求項１２に記載のカード読取装置。
【請求項１４】
当該絶縁主体の第１の側壁と第２の側壁に実装される蓋板があり、当該挿着空間は、当該蓋板と当該基板との間に位置することを特徴とする請求項１２に記載のカード読取装置。
【請求項１５】
当該絶縁主体の第１の側壁と第２の側壁に実装される遮蔽枠体があることを特徴とする請求項１２に記載のカード読取装置。
【請求項１６】
当該絶縁主体の挿着空間内に配置される排出機構があることを特徴とする請求項１２に記載のカード読取装置。
【考案の詳細な説明】
【技術分野】
【０００１】
本考案は、制御端子組を有し、電子カードの挿着状態を判断できるカード読取装置に関する。
【背景技術】
【０００２】
公知のように、電子カードが、携帯電話やパーソナル携帯情報機器或いはディジタルカメラ等の、色々の電子製品に広く応用される。色々の電子製品内には、SD(Secured Digital)カード等のような電子カードが挿着されるための、対応する端子組と電気的に接触するカード読取装置が設けられる。電子カードと端子組との間において、信号転送を、正常に行いながら、不注意に電子カード内のデータを削除することを防止するため、当該カード読取装置は、電子カードの挿着状態を判断することにより、電子カードと端子組との間の電気的に接触することを確保し、そして、書込み禁止と言う機能を提供することが、必要である。
【０００３】
従来のカード読取装置は、電子カードが挿着されることに供し、当該カード読取装置には、絶縁主体と制御端子組があり、当該絶縁主体内には、挿着空間が形成され、当該電子カードは、当該挿着空間内に挿着される。当該制御端子組には、書込み禁止端子と共通端子がある。当該書込み禁止端子には、保持部と、弾性アームと、ピン部とがあり、当該保持部は、当該絶縁主体に位置付けられ、当該弾性アームには、押付け部と圧接部があり、当該押付け部の一端は、固定端で、当該保持部に連接され、当該押付け部のもう一端は、自由端で、当該挿着空間内へ延ばし、当該圧接部の一端は、当該押付け部の自由端に連接され、折り点を形成し、当該圧接部のもう一端は、自由端で、当該ピン部は、当該保持部に連接され、当該ピン部は、回路基板上に溶接するためのものである。当該共通端子には、保持部とピン部があり、当該保持部は、当該絶縁主体に位置付けられ、当該ピン部は、当該回路基板上に溶接するためのものである。当該書込み禁止端子の弾性アームの圧接部の自由端は、当該共通端子の保持部に対応する一辺に位置し、そして、常に所定の距離を維持する。
【０００４】
上記の従来のカード読取装置において、当該電子カードが当該挿着空間に挿着される時、当該電子カードが、当該書込み禁止端子の弾性アームの押付け部に当接し、当該書込み禁止端子の圧接部の自由端が、当該共通端子の保持部ヘ向かって移動して接触する。当該電子カードが所定な位置に着くと、当該電子カードの書込み禁止素子の位置により、当該書込み禁止端子の弾性アームの折り点に当接しているかどうかが決定され、これにより、当該弾性アームの圧接部の自由端が当該共通端子の保持部に接触するかどうかが決定され、当該電子カードが書込み禁止である挿着状態が確保される。当該圧接部の長さが短いため、当該圧接部の自由端が僅かに当該共通端子の方向へ移動され、当該弾性アームの受力変形が、当該押付け部に集中し、これにより、当該弾性アームの消耗が大きくなり、また、当該電子カードの挿着に対する抵抗も大きくなり、その挿着は、スムーズにではない。設計上、当該弾性アームの弾力を低減すれば、当該書込み禁止端子と当該共通端子と接触は、確実にできなくなる。
【０００５】
上述のように、上記の従来のカード読取装置は、実用上において、不便と欠陥が存在するため、改善しなければならない。
【０００６】
本発明者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００７】
本考案の主な目的は、制御端子組の各端子の間において、接触がよりスムーズに、確実的に、及び耐久的になり、そして、電子カードが、より簡単に、挿着される、カード読取装置を提供する。
【課題を解決するための手段】
【０００８】
本考案は、上記の目的を達成するため、電子カードが挿着されるためのカード読取装置を提供し、当該カード読取装置には、絶縁主体と制御端子組があり、当該絶縁主体内には、挿着空間が形成され、当該絶縁主体の先端には、挿着口が形成され、当該挿着口は、当該挿着空間に連通され、当該電子カードは、当該挿着口を介して当該挿着空間内に挿着され、当該制御端子組には、第１の制御端子と第２の制御端子があり、当該第１の制御端子には、第１の保持部と第１の弾性アームがあり、当該第１の保持部は、当該絶縁主体に位置付けられ、当該第１の弾性アームには、押付け部と延長部があり、当該押付け部の一端は、固定端で、当該第１の保持部に連接され、当該押付け部のもう一端は、自由端で、当該挿着空間内と当該絶縁主体の後端へ延ばし、当該延長部の一端は、当該押付け部の自由端に連接され、折り点を形成し、当該延長部のもう一端は、自由端で、当該第２の制御端子には、第２の保持部があり、当該第２の保持部は、当該絶縁主体に位置付けられ、当該延長部の自由端は、当該第２の保持部に対応する一辺に位置し、そして、常に所定の距離を維持し、当該電子カードが当該挿着空間に挿着される時、当該電子カードは、当該押付け部に当接し、当該延長部の自由端は、当該第２の保持部へ移動して、当該第２の保持部上に摺動接触する。
【０００９】
当該第１の制御端子の第１の弾性アームの延長部が、当該第２の制御端子の第２の保持部に摺動接触することにより、当該第１の制御端子の弾性が更に良くなり、当該第１の弾性アームの受力変形が当該押付け部に集中することを防止でき、そのため、当該第１の制御端子と当該第２の制御端子との間において、接触がよりスムーズに、確実的に、及び耐久的になり、そして、電子カードが、より簡単に、カード読取装置に挿着される。
【考案を実施するための最良の形態】
【００１０】
図面を参照しながら、本考案に係わる技術の特徴や目的及び効果を、以下の実施例により、詳しく説明するが、図面は、ただ、参考用かつ説明用だけであり、本考案は、それによって制限されることがない。
【００１１】
本考案は、図１と図２のように、電子カード９が挿着される（図３乃至図６のように）ためのカード読取装置であり、当該カード読取装置には、絶縁主体１と制御端子組２があり、本実施例において、更に、第１の端子組３１と、第２の端子組３２と、第３の端子組３３と、第１の押さえ板４１と、第２の押さえ板４２と、裏押さえ板４３と、蓋板５と、遮蔽枠体６と、排出機構７と、があり、
絶縁主体１において、その内部に、挿着空間１０１が形成され、当該絶縁主体１の先端には、挿着口１０２が形成され、当該挿着口１０２が当該挿着空間１０１に連通され、当該電子カード９は、当該挿着口１０２を介して当該挿着空間１０１内に挿着される。本実施例において、当該絶縁主体１には、基板１０と、第１の側壁１１と、第２の側壁１２とがあり、当該第１の側壁１１と当該第２の側壁１２は、夫々、当該基板１０の二つの対向する辺に連接され、その間に、当該絶縁主体１の挿着空間１０１が形成される。当該第１の側壁１１には、第１のスロット１１１と、第２のスロット１１２と、第３のスロット１１３とが設けられ、当該第１のスロット１１１と、当該第３のスロット１１３と、当該第２のスロット１１２とは、上記の順に当該絶縁主体１の先端から裏へ配列される。当該第１の側壁１１の後端と当該第２の側壁１２の後端には、夫々、二つの係合槽１０３が設けられる。
【００１２】
制御端子組２には、第１の制御端子２１と、第２の制御端子２２と、第３の制御端子２３とがある。本実施例において、当該第１の制御端子２１は、書込み禁止端子であり、当該第２の制御端子２２は、共通端子であり、当該第３の制御端子２３は、検知端子である。当該書込み禁止端子は、当該電子カード９の書込み禁止状態を確認するためのもので、当該電子カード９内のデータが不注意により削除されることを防止するためのものである。当該検知端子は、当該電子カード９が位置付けの状態であることを確認するためのもので、当該電子カード９の信号転送が正常に行われることを確保するためのものである。
【００１３】
当該第１の制御端子２１には、第１の保持部２１１と、第１の弾性アーム２１２と、湾曲部２１３と、第１のピン部２１４とがある。当該第１の保持部２１１には、インサートシート２１５があり、当該第１の保持部２１１は、当該絶縁主体１の第１のスロット１１１内に位置付けられ、当該インサートシート２１５は、当該第１のスロット１１１内に嵌接されて、保持力を強化する。当該第１の弾性アーム２１２には、押付け部２１６と延長部２１７があり、本実施例において、当該押付け部２１６と当該延長部２１７が、同じ長さであるが、これによって制限されず、多少の差があってもいい。当該押付け部２１６の一端は、固定端で、当該第１の保持部２１１に連接され、当該押付け部２１６のもう一端は、自由端で、当該挿着空間１０１内と当該絶縁主体１の後端へ延ばし、当該延長部２１７の一端は、当該押付け部２１６の自由端に連接され、折り点２１８を形成し、当該延長部２１７のもう一端は、自由端２１９である。当該湾曲部２１３は、当該延長部２１７の自由端２１９に連接される。当該第１のピン部２１４は、当該第１の保持部２１１に連接され、そして、当該挿着空間１０１外へ延ばす。
【００１４】
当該第２の制御端子２２には、第２の保持部２２１と、第２の弾性アーム２２２と、第２のピン部２２４とがある。当該第２の保持部２２１は、当該絶縁主体１の第２のスロット１１２内に位置付けられる。当該第２の弾性アーム２２２の一端は、固定端で、当該第２の保持部２２１に連接され、当該第２の弾性アーム２２２のもう一端は、自由端で、当該挿着空間１０１内と当該絶縁主体１の後端へ延ばす。当該第２のピン部２２４は、当該第２の保持部２２１に連接され、当該挿着空間１０１外へ延ばす。当該第１の制御端子２１の延長部２１７の自由端２１９は、当該第２の保持部２２１に対応する一辺に位置し、そして、常に所定の距離を維持する。当該第１の制御端子２１の湾曲部２１３は、当該第２の保持部２２１の反対方向へ延ばす。
【００１５】
当該第３の制御端子２３には、第３の保持部２３１と、第３の弾性アーム２３２と、湾曲部２３３と、第３のピン部２３４とがある。当該第３の保持部２３１には、インサートシート２３５があり、当該第３の保持部２３１は、当該絶縁主体１の第３のスロット１１３内に位置付けられ、当該インサートシート２３５は、当該第３のスロット１１３内に嵌接されて、保持力を強化する。当該第３の弾性アーム２３２には、当接部２３６と圧接部２３７があり、当該当接部２３６の一端は、固定端で、当該第３の保持部２３１に連接され、当該当接部２３６のもう一端は、自由端で、当該挿着空間１０１内と当該絶縁主体１の後端へ延ばし、当該圧接部２３７の一端は、当該当接部２３６の自由端に連接され、折り点２３８を形成し、当該圧接部２３７のもう一端は、自由端２３９で、当該圧接部２３７の自由端２３９は、当該第２の制御端子２２の第２の弾性アーム２２２に対応する一辺に位置し、そして、常に所定の距離を維持する。当該湾曲部２３３は、当該圧接部２３７の自由端２３９に連接され、当該第２の弾性アーム２２２の反対方向へ延ばす。当該第３のピン部２３４は、当該第３の保持部２３１に連接され、当該挿着空間１０１外へ延ばす。
【００１６】
第１の端子組３１は、当該絶縁主体１の基板１０の外面に実装される。
【００１７】
第２の端子組３２は、当該絶縁主体１の基板１０の内面に実装される。
【００１８】
第３の端子組３３は、当該絶縁主体１の後端に実装される。
【００１９】
第１の押さえ板４１は、当該基板１０の外面に固定され、当該第１の端子組３１に位置付けられる。
【００２０】
第２の押さえ板４２は、当該基板１０の内面に固定され、当該第２の端子組３２に位置付けられる。
【００２１】
裏押さえ板４３において、その両端には、夫々、二つのフランジ４３１が設けられ、各フランジ４３１は、夫々、当該絶縁主体１の第１の側壁１１と第２の側壁１２の各係止槽１０３に係止され、当該裏押さえ板４３は、当該第１の端子組３１と、当該第２の端子組３２と、当該第３の端子組３３との端子のピン部に当接し、回路基板（図に表示せず）上に溶接するためのものである。
【００２２】
蓋板５は、複数の組み立てシート５０により、当該絶縁主体１の第１の側壁１１と第２の側壁１２の複数の組み立て穴１０４に実装され、当該挿着空間１０１は、当該蓋板５と当該絶縁主体１の基板１０との間に位置する。当該蓋板５には、二つの押さえシート５１が設けられ、当該二つの押さえシート５１は、当該第３の端子組３３に当接する。
【００２３】
遮蔽枠体６は、フックアーム６０と複数の係止穴６１によって、当該絶縁主体１の第１の側壁１１と第２の側壁１２のフック１０５と複数の突起１０６に実装される。
【００２４】
排出機構７は、当該絶縁主体１の挿着空間１０１内に設置される。当該排出機構７は、当該絶縁主体１の挿着空間１０１内に挿着される電子カード９を排出するためのものである。
【００２５】
図１乃至図６のように、当該電子カード９には、書込み禁止素子９０があり、当該書込み禁止素子９０の位置は、書込み禁止状態の位置や書込み可能状態の位置であり、本実施例において、当該書込み禁止素子９０が当該書込み可能状態の位置に切替えるものを例とする。当該電子カード９が当該挿着空間１０１に挿着される時、当該電子カード９は、当該第１の制御端子２１の押付け部２１６に当接し、当該延長部２１７の自由端は、当該第２の制御端子２２の第２の保持部２２１へ移動して、当該第２の保持部２２１上に摺動接触する。当該電子カード９の書込み禁止素子９０は、当該第１の制御端子２１の折り点２１８に当接し、これにより、当該延長部２１７の自由端２１９は、当該第２の制御端子２２の第２の保持部２２１に接触し、信号を転送することにより、当該電子カード９が書込み可能状態であることを確認する。当該第１の弾性アーム２１２の延長部２１７が、当該第２の制御端子２２の第２の保持部２２１に摺動接触するため、当該第１の制御端子２１の弾性が更に良くなり、当該第１の弾性アーム２１２の受力変形が当該押付け部２１６に集中することを防止でき、そのため、当該第１の制御端子２１と当該第２の制御端子２２との間において、接触がよりスムーズに、確実的に、及び耐久的になり、そして、当該電子カード９が、より簡単に、本考案に係わるカード読取装置に挿着される。当該第１の制御端子２１の湾曲部２１３により、当該延長部２１７の自由端２１９の摺動接触は、よりスムーズになる。
【００２６】
また、当該電子カード９が当該挿着空間１０１に挿着されて、位置付けられた時、当該電子カード９は、当該第３の制御端子２３の当接部２３６に当接し、当該圧接部２３７の自由端２３９は、当該第２の制御端子２２の第２の弾性アーム２２２へ移動して、当該第２の弾性アーム２２２上に当接する。当該第３の弾性アーム２３２の圧接部２３７の自由端２３９と当該第２の制御端子２２の第２の弾性アーム２２２との間において、弾性的に互い接触するため、当該第３の制御端子２３と当該第２の制御端子２２との接触は、より容易的に且つより確実的になり、当該電子カード９が、当該第１の端子組３１や当該第２の端子組３２或いは当該第３の端子組３３とに、電気的に接続することを確保できる。
【００２７】
図７と図８は、本考案に係わるカード読取装置の他の実施例である。本実施例において、当該第１の端子組３１、当該第２の端子組３２、及び当該第３の端子組３３の端子のピン部は、湾曲方向が、上記の実施例と異ない、そして、当該制御端子組２の第１の制御端子２１の第１のピン部２１４、当該第２の制御端子２２の第２のピン部２２４、及び当該第３の制御端子２３の第３のピン部２３４も、湾曲方向が、上記の実施例と異なるため、本考案に係わるカード読取装置が回路基板に溶接される時の設計は、より弾性的になる。
【００２８】
そのため、本考案に係わるカード読取装置によれば、次のような利点がある。
【００２９】
１、当該第１の制御端子の第１の弾性アームの延長部が、当該第２の制御端子の第２の保持部に摺動接触することにより、当該第１の制御端子の弾性が更に良くなり、当該第１の弾性アームの受力変形が当該押付け部に集中することを防止でき、そのため、当該第１の制御端子と当該第２の制御端子との間において、接触がよりスムーズに、確実的に、及び耐久的になり、そして、電子カードが、より簡単に、挿着される、カード読取装置に挿着される。
【００３０】
２、当該第３の制御端子の第３の弾性アームの圧接部の自由端と当該第２の制御端子の第２の弾性アームとが、弾性的に接触するため、当該第３の制御端子と当該第２の制御端子との接触が、より容易的に且つより確実的になる。
【００３１】
以上の陳述のように、本考案は、従来のカード読取装置の諸欠陥を解決でき、産業上の利用性や新鋭性及び進歩性があり、実用新案登録請求の要件に満たすため、法に従って出願する。
【００３２】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００３３】
【図１】本考案に係わるカード読取装置の分解斜視図。
【図２】本考案に係わるカード読取装置の制御端子組の斜視概念図。
【図３】本考案に係わるカード読取装置に電子カードが挿着される時の当該電子カードと当該制御端子組との斜視概念図。
【図４】本考案に係わるカード読取装置に電子カードが挿着される時の当該電子カードと当該制御端子組との他の角度の斜視概念図。
【図５】本考案に係わるカード読取装置に電子カードが挿着される時の当該電子カードと当該制御端子組の平面概念図。
【図６】本考案に係わるカード読取装置に電子カードが挿着される時の当該電子カードと当該制御端子組との側面概念図。
【図７】本考案に係わるカード読取装置の他の実施例の分解斜視図。
【図８】本考案に係わるカード読取装置の他の実施例の制御端子組の斜視概念図。
【符号の説明】
【００３４】
１  絶縁主体
１０  基板
１０１  挿着空間
１０２  挿着口
１０３  係止槽
１０４  組み立て穴
１０５  フック
１０６  突起
１１  第１の側壁
１１１  第１のスロット
１１２  第２のスロット
１１３  第３のスロット
１２  第２の側壁
２  制御端子組
２１  第１の制御端子
２１１  第１の保持部
２１２  第１の弾性アーム
２１３  湾曲部
２１４  第１のピン部
２１５  インサートシート
２１６  押付け部
２１７  延長部
２１８  折り点
２１９  自由端
２２  第２の制御端子
２２１  第２の保持部
２２２  第２の弾性アーム
２２４  第２のピン部
２３  第３の制御端子
２３１  第３の保持部
２３２  第３の弾性アーム
２３３  湾曲部
２３４  第３のピン部
２３５  インサートシート
２３６  当接部
２３７  圧接部
２３８  折り点
２３９  自由端
３１  第１の端子組
３２  第２の端子組
３３  第３の端子組
４１  第１の押さえ板
４２  第２の押さえ板
４３  裏押さえ板
４３１  フランジ
５  蓋板
５０  組み立てシート
５１  押さえシート
６  遮蔽枠体
６０  フックアーム
６１  係止穴
７  排出機構
９  電子カード
９０  書込み禁止素子
【図１】
0003109589.tif 000003
【図２】
0003109589.tif 000004
【図３】
0003109589.tif 000005
【図４】
0003109589.tif 000006
【図５】
0003109589.tif 000007
【図６】
0003109589.tif 000008
【図７】
0003109589.tif 000009
【図８】
0003109589.tif 000010